(57)【要約】加圧流体を供給するための装置は、操作に必要な圧力を供給する沸騰の効果に伴う化学反応時に生じる圧力を作用させる。装置は、基剤と酸性材料との間の化学反応により圧力を生じさせることができ、これらのうちの一方はタブレットの形態で設けられる。装置は、水平面に対して実質的に任意の角度で操作され、連続的な加圧流体、パルス状の加圧流体、および１回分の発射用の加圧流体を供給する。装置は、装置の内部の作用の圧力の全範囲にわたって略一定の流量の加圧流体を供給するように構成される。
2015527925.tif 000002
【特許請求の範囲】
【請求項１】
加圧流体を供給するための装置であって、
第１の圧力レベルの前記加圧流体を含む容器と、
前記第１の圧力レベルの前記加圧流体を受承する供給チューブと、
前記加圧流体の供給を制御する加圧流体制御機構と、
第２の圧力レベルの加圧流体を供給するとともに前記容器の一端から延びる流体分配チューブと、
前記容器の第２の端を閉鎖するように構成される開放可能な再充填キャップと、
前記第１の圧力レベルが圧力レベルの上限と下限との間の範囲内に保持されると、前記第２の圧力レベルおよび略一定の流量で加圧流体を供給する流量調整装置とを備えることを特徴とする加圧流体を供給するための装置。
【請求項２】
流体攪拌装置をさらに備え、同攪拌装置は、
ローラハウジングであって、
中心ピンと、
同中心ピンの周囲に形成される円形溝と、
前記ハウジングから径方向に延びる複数のフィンと、
前記溝を介して前記ハウジング内に前記加圧流体を進入させる流体入口とを含むローラハウジングと、
加圧流体出口を含むローラハウジングカバーと、
前記溝に円滑に嵌入するローラであって、これにより、前記加圧流体が前記流体入口、前記溝、および前記加圧流体出口を通過して流れる際に、前記ローラが前記中心ピンを中心として回転する、ローラとを備えることを特徴とする請求項１に記載の装置。
【請求項３】
気体カートリッジハウジングを受承するように構成された、前記再充填キャップに形成されるガス再充填ポートと、
気体カートリッジを包囲するとともに前記ガス再充填ポート上に堅固に取り付けられるように構成される気体カートリッジハウジングとをさらに備えることを特徴とする請求項２に記載の装置。
【請求項４】
前記容器から遠位側の前記分配チューブの端部の近傍において前記分配チューブに取り付けられる散布保護部をさらに備えることを特徴とする請求項１に記載の装置。
【請求項５】
前記容器の再充填開口部の近傍の前記容器の内側周面から延びる１つ以上のブレードを含むタブレット破砕ユニットと、
前記ブレードの交点に配置されるとげ状突起と、
前記再充填開口部の内側表面に配置されるタブレット移動リミッタとをさらに備えることを特徴とする請求項１に記載の装置。
【請求項６】
前記タブレット移動リミッタは、矩形の周面上に形成される１組の移動リミッタ、および円の周面の１組の移動リミッタを含む群から選択されることを特徴とする請求項５に記載の装置。
【請求項７】
加圧流体を供給するための装置であって、
第１の圧力レベルの前記加圧流体を含む容器と、
前記第１の圧力レベルの前記加圧流体を受承する供給チューブと、
前記加圧流体の供給を制御する加圧流体制御機構と、
第２の圧力レベルの加圧流体を供給するとともに前記容器の一端から延びる流体分配チューブと、
前記容器の第２の端を閉鎖するように構成される開放可能な再充填キャップと、
投与機構とを備え、同投与機構は、
前記加圧流体制御機構に前記供給チューブを接続するとともに可撓性を備える材料から形成される流体投与チューブと、
前記流体投与チューブに対する前記供給チューブの接続点に位置されるフローリミッタとを含み、
前記フローリミッタは、流量を制限するように前記流体投与チューブを押圧するように構成される２本の近接するとともに平行であるアームとして形成されることを特徴とする加圧流体を供給するための装置。
【請求項８】
気体カートリッジハウジングを受承するように構成されるとともに前記再充填キャップに形成されるガス再充填ポートと、
気体カートリッジを包囲するとともに前記ガス再充填ポート上に堅固に取り付けられるように構成される気体カートリッジハウジングとをさらに備えることを特徴とする請求項７に記載の装置。
【請求項９】
前記容器から遠位側の前記分配チューブの端部の近傍において前記分配チューブに取り付けられる散布保護部をさらに備えることを特徴とする請求項７に記載の装置。
【請求項１０】
前記容器の再充填開口部の近傍の前記容器の内側周面から延びる１つ以上ブレードを含むタブレット破砕ユニットと、
前記ブレードの交点に配置されるとげ状突起と、
前記再充填開口部の内側表面に配置されるタブレット移動リミッタとをさらに備えることを特徴とする請求項７に記載の装置。
【請求項１１】
前記タブレット移動リミッタは、矩形の周面上に形成される１組の移動リミッタ、および円の周面の１組の移動リミッタを含む群から選択されることを特徴とする請求項１０に記載の装置。
【発明の詳細な説明】
【技術分野】
【０００１】
加圧流体または液体を供給するための多くの携帯機器が、本技術において公知である。
【背景技術】
【０００２】
あるタイプは、モータ駆動のミニポンプのような機械的な加圧手段を含む。このような装置は、電源が要求され、これは、電気ショックの危険性を含むコンセントへの接続を要するか、あるいはバッテリの連続的な交換を要する携帯可能な電気器具を要する。加圧流体を供給する他の公知のタイプの携帯機器は、高圧気体カートリッジ、あるいは酸性成分および基本成分のような２つ以上の成分間の化学反応により生じた沸騰の影響からそれらの操作に要求される圧力を得る。
【発明の概要】
【発明が解決しようとする課題】
【０００３】
本技術において公知の装置は、コンセントに恒久的に接続される必要がある、あるいはバッテリを通常交換する必要があるというようないくつかの短所を有する。加圧気体カートリッジを使用する他の装置、あるいは操作のための圧力源を化学反応の沸騰から得る他の装置は、加圧流体の作動圧力および／または作動流量のような不安定な作動条件を有する。
【課題を解決するための手段】
【０００４】
本発明の実施形態による加圧流体を供給するための装置は、第１の圧力レベルの加圧流体を含む容器と、第１の圧力レベルの加圧流体を受承する供給チューブと、加圧流体の供給を制御する加圧流体制御機構と、第２のレベルの圧力の加圧流体を供給するとともに容器の一端から延びる流体分配チューブと、容器の第２の端を閉鎖するように構成される開放可能な再充填キャップと、第１の圧力レベルが圧力レベルの上限と下限との間の範囲内に保持されると、第２の圧力レベルおよび略一定の流量で加圧流体を供給する流量調整装置とを備える。
【０００５】
本発明の別例による加圧流体を供給するための装置は、第１の圧力レベルの加圧流体を含む容器と、第１の圧力レベルの加圧流体を受承する供給チューブと、加圧流体の供給を制御する加圧流体制御機構と、第２の圧力レベルの加圧流体を供給するとともに容器の一端から延びる流体分配チューブと、容器の第２の端を閉鎖するように構成される開放可能な再充填キャップと、投与機構とを備える。投与機構は、加圧流体制御機構に供給チューブを接続するとともに可撓性を備える材料から形成される流体投与チューブと、流体投与チューブに対する供給チューブの接続点に位置されるフローリミッタとを含む。フローリミッタは、流量を制限するように流体投与チューブを押圧するように構成される２本の近接するとともに平行であるアームとして形成される。
【図面の簡単な説明】
【０００６】
【図１Ａ】空の状態の加圧流体を供給するための装置を示す図。
【図１Ｂ】操作用の材料で満たされた、加圧流体を供給するための装置を示す図。
【図２Ａ】３つの異なる傾斜角のうちの１つにおける図１Ａおよび図１Ｂの装置であって、供給チューブの構成により、確実に供給チューブが装置の液体に沈められた状態を保持することができる装置を示す図。
【図２Ｂ】３つの異なる傾斜角のうちの１つにおける図１Ａおよび図１Ｂの装置であって、供給チューブの構成により、確実に供給チューブが装置の液体に沈められた状態を保持することができる装置を示す図。
【図２Ｃ】３つの異なる傾斜角のうちの１つにおける図１Ａおよび図１Ｂの装置であって、供給チューブの構成により、確実に供給チューブが装置の液体に沈められた状態を保持することができる装置を示す図。
【図３Ａ】分配チューブの端部を概略的に示す部分断面図。
【図３Ｂ】手動工具を示す部分側面断面図。
【図３Ｃ】手動工具を概略的に示す部分側面断面図。
【図４Ａ】振動時に加圧流体を供給するための手動工具を概略的に示す部分正面断面図。
【図４Ｂ】振動時に加圧流体を供給するための手動工具を概略的に示す部分側面断面図。
【図５Ａ】本発明の実施形態による、トリガの各駆動につき１回分投与される加圧流体を供給するための装置を示す概略図。
【図５Ｂ】本発明の実施形態による、トリガの各駆動につき１回分投与される加圧流体を供給するための装置を示す概略図。
【図５Ｃ】本発明の実施形態による、トリガの各駆動につき１回分投与される加圧流体を供給するための装置を示す概略図。
【図５Ｄ】本発明の実施形態による、トリガの各駆動につき１回分投与される加圧流体を供給するための装置を示す概略図。
【図５Ｅ】本発明の実施形態による、トリガの各駆動につき１回分投与される加圧流体を供給するための装置を示す概略図。
【図５Ｆ】本発明の実施形態による、トリガの各駆動につき１回分投与される加圧流体を供給するための装置を示す概略図。
【図５Ｇ】本発明の実施形態によるフローリミッタの２つの形態を示す図。
【図５Ｈ】本発明の実施形態によるフローリミッタの２つの形態を示す図。
【図５Ｉ】本発明の実施形態によるフローリミッタの２つの形態を示す図。
【図５Ｊ】本発明の実施形態によるフローリミッタの２つの形態を示す図。
【図６】本発明の実施形態による、気体を再充填するための加圧気体カートリッジを使用して加圧流体を供給するための装置を概略的に示す等角図。
【図７】本発明の実施形態による、加圧流体を供給するための装置を概略的に示す等角図。
【図８Ａ】本発明の実施形態による、加圧流体を供給するための装置および対応する気体再充填容器を概略的に示す図。
【図８Ｂ】本発明の実施形態による、加圧流体を供給するための装置および対応する気体再充填容器を概略的に示す図。
【図９Ａ】本発明の実施形態による、加圧流体を供給するための装置を概略的に示す部分切断等角図。
【図９Ｂ】本発明の実施形態による、装置に設けられた攪拌装置を示す図。
【図１０Ａ】本発明の実施形態による、加圧流体を供給するための装置と共に使用される散布保護部の一実施形態を概略的に示す図。
【図１０Ｂ】本発明の実施形態による、加圧流体を供給するための装置と共に使用される散布保護部の一実施形態を概略的に示す図。
【図１０Ｃ】本発明の実施形態による、加圧流体を供給するための装置と共に使用される散布保護部の一実施形態を概略的に示す図。
【図１１Ａ】本発明の実施形態による加圧流体を供給するための装置を示す概略図。
【図１１Ｂ】本発明の実施形態によるタブレット破砕ユニットを備えた充填キャップを示す等角図。
【図１１Ｃ】本発明の実施形態による装置を示す部分断面図。
【図１２Ａ】本発明の一実施形態による、二つの異なる形態のタブレットを収容するとともに安全に保持するように形成される充填キャップを示す図。
【図１２Ｂ】本発明の一実施形態による、二つの異なる形態のタブレットを収容するとともに安全に保持するように形成される充填キャップを示す図。
【図１３】本発明の実施形態による加圧流体を供給するための装置を示す図。
【図１４Ａ】本発明の実施形態による、加圧流体を供給するための装置を概略的に示す図。
【図１４Ｂ】本発明の実施形態による、流量調整装置を概略的に示す図。
【発明を実施するための形態】
【０００７】
本発明とみなされる主題は、本明細書の結論部において特に指摘され、明確に特許請求の範囲に記載される。しかしながら、本発明は、操作の構成および方法の両者に関して、その目的、特徴、および効果とともに、添付の図面を参照して後述する明細書を読むことによりもっともよく理解される。
【０００８】
図を単純かつ明瞭に示すために、図示の要素は、必ずしも正確な縮尺ではないものといえる。例えば、要素のうちのいくつかの寸法は明瞭に示すべく他の要素に対して強調されてもよい。さらに、適切であると考えられる場合、対応するまたは同様の要素を示すために、参照符号が複数の図面にわたって繰り返されてもよい。
【０００９】
詳細に後述するように、複数の所定の詳細が、本発明についての完全な理解を得られるように開示される。しかしながら、当業者は、本発明がこれらの所定の詳細を伴わずに実施可能であることを理解するであろう。他の実例において、公知の方法、処理、および要素は、本発明を不明瞭なものとしないように詳細には開示されていない。
【００１０】
本発明の発明者が有し、発明の名称が歯治療装置および方法である米国特許出願第１３／１８０，９８５号明細書は、加圧流体を供給するための装置を開示し、その全体がここに開示されたものとする。図１Ａおよび図１Ｂは、それぞれ本発明の発明者が有する米国特許出願第１３／１８０，９８５号明細書に詳細に開示されるような、空の状態、および操作用の材料で満たされた状態の、加圧流体を供給するように構成される装置１０を示す。装置１０は、容器１２を含み、容器１２は、隔壁１２Ｃによって、第１の区画１２Ａおよび第２の区画１２Ｂに区分される。隔壁１２Ｃは、液体が隔壁１２Ｃを自由に通過して流れることができるように構成されている。第１の区画は液体を含むように構成され、第２の区画は第１および第２の活性剤を受容するように構成され、背面カバーは容器の第１の端を閉鎖するように構成される。第１の端は、第２の区画のより近傍にある。作動制御手段は、容器からの加圧液体の分配を制御するように構成される。作動制御手段は、容器の第２の端を閉鎖する前面カバーに設けられ、第１の活性剤および第２の活性剤は、化学反応時に沸騰プロセスから第１の圧力を生じるように構成され、この作動制御手段は第１の圧力を第２の圧力に低減するように構成される。第２の圧力は、重力方向に対する容器の配向にかかわらず一定に保持される。本発明のさらなる実施形態によれば、装置は、第２の圧力の加圧液体を受承するとともにこの加圧液体を分配オリフィスを介して分配するように、作動制御手段に対して第１の端で接続される分配チューブを備える。装置は、加圧液体を少なくとも１つのパルスで分配オリフィスに供給するための振動機構をさらに備える。時間間隔における上記パルスの数は制御可能である。
【００１１】
図２Ａ、図２Ｂ、および図２Ｃを参照すると、本発明の発明者が有する米国特許出願第１３／１８０，９８５号明細書に詳細に開示されるような、３つの異なる傾斜角の装置１０が示され、それぞれにおいて、その遠位端が装置１０の液体に沈められた状態を確実に保持するように遠位端に重り１７Ｂが設けられることによる供給チューブ１７の各形態を示す。これにより、装置１０の液体が略なくなるまで、調整装置、開閉アセンブリ１４（図１Ａ）や、圧力調整手段１４Ａに加圧液体が確実に供給される。
【００１２】
図３Ａは、本発明の発明者が有する米国特許出願第１３／１８０，９８５号明細書に詳細に開示されるような分配チューブ３１０の端部を概略的に示す部分断面図である。分配チューブ３１０には、長いピッチの糸またはウォームとして構成された空間的な螺旋要素３１２が設けられ、これは分配チューブ３１０の内側穴３１３の長手方向軸線と一致する長手方向軸線を有し、また、穴３１３内で螺旋要素３１２を円滑に回転させるように穴３１３の内径に円滑に適合する外径を有する。本発明の実施形態によれば、螺旋要素３１２は、螺旋要素３１２の端部に形成される補助的な軸線３１５を有する。
【００１３】
穴３１３を介して分配チューブ３１０内に進入するとともに出口オリフィス３１６を介して出るように意図される加圧液体は、螺旋要素３１２上を流れ、螺旋要素３１２の軸線を中心として螺旋要素３１２を迅速に回転させる。その結果、螺旋要素３１２のブレードのセクション３１７は、オリフィス３１６の内側端部の上方および近傍を通過し、これにより、オリフィス３１６の加圧流体の流れを間欠的に中断させる。加圧流体の流れにおけるそのような中断の数は、螺旋要素３１２の回転速度の２倍に略等しい。
【００１４】
図３Ｂは、本発明の発明者が有する米国特許出願第１３／１８０，９８５号明細書に詳細に開示されるような手動工具３２０を概略的に示す部分側面断面図である。手動工具３２０は、その長手方向部分に沿って内部に形成される長手の穴３２２を含み、これにより、加圧液体および／または加圧気体を供給する。穴３２２は、環状体の空間３２４に正接するように加圧流体を供給するために形成され、これにより、図３Ｂの面において、ボール３２６を迅速に回転運動させる。ボール３２６の回転運動により、手動工具３２０の二次元の組み合わされた振動が生じる。従って、出口オリフィス３２５から現れる加圧流体噴流は、振動するように流れる。
【００１５】
図３Ｃは、本発明の発明者が有する米国特許出願第１３／１８０，９８５号明細書に詳細に開示されるような手動工具３３０を概略的に示す部分側面断面図である。穴３３２を介し、形成された流体通路３３４を通過して流れる加圧流体は、流体オリフィス３３７への移動中に、車輪３３６を回転させる。その結果、加圧流体の間欠的な流れが生じ、出口オリフィス３３７を通過する加圧噴流の震動する流れとなる。
【００１６】
図４Ａおよび図４Ｂはそれぞれ、本発明の発明者が有する米国特許出願第１３／１８０，９８５号明細書に詳細に開示されるような加圧流体を供給するとともに振動する手動工具４００を概略的に示す部分正面断面図および部分側面断面図である。手動工具４００は、その長手方向部分に沿って内部に形成される長手の穴４０２を含み、これにより、加圧液体および／または加圧気体を供給する。加圧流体穴４０２は、彫られた環状体の空間４０６内へ流体出口４０４Ａを介して接線の方向に加圧流体を供給するために形成される狭小な流体通路４０４で終端する。環状体の空間４０６は、ボール４０８の寸法に適合するように形成される。従って、ボール４０８が内部の環状体の空間４０６の周囲を回転するように促進されるとボール４０８は自由に回転するが、同時に、回転するボール４０８と環状体の空間４０６の内側表面との間が良好にシールされる。手動工具４００は、手動工具からの加圧流体の噴流を排出する出口オリフィス４１０をさらに含む。加圧流体が、穴４０２および流体通路４０４を介して環状体の空間４０６に進入すると、環状体の空間４０６に渦の運動が生じ、これは、図４Ａの環状体の空間４０６に示す矢印の方向に回転する。その結果、ボール４０８は渦と同じ方向および実質的に同じ速度で回転する。ボール４０８が流体出口４０４Ａ上を通るごとに、しばらくの間流体出口４０４Ａが閉鎖され、これにより、環状体の空間４０６の内外への加圧流体の間欠的な流れが生じる。従って、加圧流体の噴流は、出口オリフィス４１０から振動して現れる。さらに、ボール４０８が迅速に回転することにより、図８Ａの面に実質的に位置される手動工具４００の二次元の振動が生じる。
【００１７】
本発明のいくつかの実施形態によれば、加圧流体は、駆動トリガの一押しにつき１回分が投与される。図５Ａ、図５Ｂ、図５Ｃ、および図５Ｄは、本発明の実施形態による、トリガの各駆動につき１回分が投与される、加圧流体を供給するための装置５００を示す概略図である。図５Ａおよび図５Ｂはそれぞれ、１回分の投与機構が完全に充填された状態にある場合の加圧流体装置５００を示す断面図および部分等角断面図である。装置５００は、加圧流体により充填された容器本体５０２、供給チューブ５１０、投与機構５１１、駆動トリガ５３０、および分配チューブ５２０を備える。投与機構５１１は、流体投与チューブ５１２およびフローリミッタ５１４を備える。投与チューブ５１２は、可撓性を備える材料から形成され、これにより、加圧流体で満たされるか、収縮することができる。これにより、投与チューブ５１２の外部の圧力がその内部の圧力より高い場合、その断面は、平坦な長円形を形成する。フローリミッタ５１４を介した供給チューブ５１０から投与チューブ５１２への通路は、遅い流れを許容するように形成される。投与チューブ５１２から分配チューブ５２０への流れは、駆動トリガ５３０によって制御され、これにより、トリガが駆動されない場合、通路は閉鎖され、トリガが駆動される場合、通路は自由になる。供給チューブ５１０は装置５００の操作期間に容器５０２の流体に沈められてもよい。駆動トリガ５３０が容器５０２の内部の圧力により閉鎖される時に、流体が供給チューブ５１０を満たし、さらにフローリミッタ５１４を介して投与チューブ５１２を満たす。駆動トリガ５３０が駆動されると、分配チューブ５２０に連結される投与チューブ５１２の一端が、低圧（約１気圧（約１０１．３ｋＰａ））に面し、これにより、その内部に蓄積された流体は、分配チューブ５２０に向かって自由に流れ、そこから外に出る。図５Ｃおよび図５Ｄに示すように、容器５０２の内部の圧力により投与チューブ５１２は平坦なものとなり、迅速に再充填されることが防止される。一旦トリガ５３０が戻されるとともに閉鎖すると、流体は、投与チューブ５１２を再充填するとともに加圧流体の次の一回分の投与が準備されるまで投与チューブ５１２に緩慢に進入する。上述したように利用可能となる各投与に含まれる流体の量は、流体投与チューブ５１２の内径、および流体リミッタ５１４から駆動トリガ５３０までの距離ＬＤによって決定される。
【００１８】
図５Ｅおよび図５Ｆは、本発明の実施形態による、トリガの各駆動につき１回分投与される、加圧流体を供給するための装置５５０を示す概略図である。装置５５０は、加圧流体を含むための容器５５２、供給チューブ５６０、投与装置５８０、駆動トリガ５７０、および分配チューブ５９０を備える。投与体５８０は、シリンダ５８２、およびシリンダ５８２の内部に小さな誤差で摺動自在なピストン５８４を備え、入口側および出口側に分配する。バネ５８３はシリンダ５８２の入口側に向かってピストン５８４を押圧するように構成される。ピストン５８４は、それらを介して流体を緩慢に流す１つ以上の小さな開口を含む。供給チューブ５６０は、操作時のすべてにおいて流体に沈められ、シリンダの入口側に加圧流体を供給する。トリガ５７０が戻されると、シリンダ５８２の出口側は閉鎖される。加圧流体はシリンダ５８２を完全に満たし、バネ５８３はピストン５８４をシリンダ５８２の入口側に向かって押圧付勢する。ピストン５８４の一方の側から反対側までの流体の緩慢な通行が小さな開口を介して可能になるので、ピストン５８４の移動が可能になる。トリガ５７０が駆動されると、シリンダ５８２の出口側からの加圧流体は分配チューブ５９０から流出する。その結果、シリンダ５８２の出口側の圧力は、略大気圧（約１ａｔｍ（約１０１．３ｋＰａ））に落ち、ピストンの反対側で、容器５５２から高圧が生じることにより、ピストン５８４は、シリンダ５８２の出口側に向かってバネ５８３の力に対して押圧付勢され、分配チューブ５９０に向かう流体の通過を阻む。その結果、１回分の加圧流体が分配される。トリガ５７０が戻されると、シリンダ５８２の出口側から大気への通路は閉鎖され、加圧流体は、ピストン５８４の開口を介して緩慢に流れシリンダ５８２の出口側を再充填し、加圧流体の次の１回分の投与の準備をする。
【００１９】
図５Ｇ、図５Ｉ、図５Ｈ、および図５Ｊを参照して、本発明の実施形態によるフローリミッタ５１４Ａおよび５１４Ｂのそれぞれの２つの形態が示される。フローリミッタ５１４Ａは、その内周面上に形成される小さな突出部５１４Ｃを有する平坦なリングからまず形成される。フローリミッタ５１４Ｂは、その内周面上に形成される小さな窪み部５１４Ｄを有する平坦なリングからまず形成される。図５Ｉに示すように、リングは平坦なものとされ、突出部５１４Ｃまたは窪み部５１４Ｄを有する２本の近接するとともに平行であるアームを形成する。突出部５１４Ｃまたは窪み部５１４Ｄは、アームの略中央の地点に位置される。フローリミッタ５１４Ａが投与チューブ５１２の首部に位置されると、首部を介した流れは緩慢なものとなるが、突出部５１４Ｃにより、最小限の流れが可能である。同様に、フローリミッタ５１４Ｂは、その内周面に小さな窪み部が形成される平坦なリング５１４Ｂから形成され、これにより、フローリミッタ５１４Ｂを介して流体を確実に緩慢に流すことができる。
【００２０】
図６は、本発明の実施形態による、気体を再充填するための加圧気体カートリッジを使用して加圧流体を供給するための装置６００を概略的に示す等角図である。装置６００は、加圧流体容器６０２、駆動トリガ６０２Ａ、分配チューブ６０２Ｂ、気体再充填ポート６０４、並びに、加圧気体カートリッジ６０００（装置の一部品ではない）を収容するとともにこれを再充填ポート６０４に堅固に連結するように構成された気体カートリッジハウジング６０６を備える。加圧気体カートリッジ６０００は、家庭での使用に利用可能な任意の公知の種類である。カートリッジ６０００は、強く押し込まれると駆動する気体弁を備える。例えば、カートリッジ６０００はハウジング６０６に位置される。ハウジング６０６は、例えばその首部およびポート６０４の内部に形成されるネジ山によって、再充填ポート６０４に堅固に取り付けられる。本技術において周知のように、一旦気体カートリッジ６０００が完全に排出すると、気体カートリッジ６０００は装置６００から取り払われる。
【００２１】
図７は、本発明の実施形態による、加圧流体を供給するための装置７００を概略的に示す等角図である。装置７００は、加圧流体を含むための容器７０２、トリガ７０２Ａ、および分配チューブ７０２Ｂを備える。装置７００は、本技術において周知のように、気体供給系に接続されるように構成される気体再充填接続部７０４をさらに備える。装置７００は、不使用時に気体再充填接続部を保護するように構成される気体再充填接続キャップ７０４Ａをさらに備える。
【００２２】
図８Ａおよび図８Ｂは、本発明の実施形態による、加圧流体を供給するための装置８００および対応する気体再充填容器８０００を概略的に示す図である。装置８００は、加圧流体を含むための容器８０２、加圧流体の分配を制御するためのトリガ８０２Ａ、および必要に応じて加圧流体を供給するための分配チューブ８０２Ｂを備える。装置８００は、例えば容器８０２の基部に形成される再充填ポート８０４をさらに備える。再充填ポート８０４は、固定ネジ８０４Ａ、および容器８０００のような外部の再充填容器から容器８０２に気体を再充填可能であるとともに再充填容器に連結されていない場合に容器８０２からの圧力の漏出を防止するための再充填弁（図示しない）を備える。再充填容器８０００は、装置８００の固定ネジ８０４Ａに適合するように形成される固定ネジ８００２Ａ、および再充填ポート８００２を備え、再充填ポート８００２は、完全に一体的にネジ締めされると、再充填ポート８０４を介して容器８０００内に加圧気体を供給するように構成される。
【００２３】
図９Ａおよび図９Ｂはそれぞれ、本発明の実施形態による、加圧流体を供給するための装置９００を概略的に示す等角図、および装置９００に設けられる攪拌装置９０４を示す図である。装置９００は、容器９０２、操作用トリガ９０２Ａ、および分配チューブ９０２Ｂを備える。容器９０２は、加圧流体が装置９００から分配される際に、捕捉された気体の泡の解放を促進するように振動するように構成される攪拌装置９０４をさらに備え、これにより、分配された加圧流体に泡を豊富に含ませる。攪拌装置９０４は、容器９０２の内部の、例えばその底端に設けられる。攪拌装置９０４は、ローラハウジング９０４０、フィン９０４０Ａ、流体入口９０４８、および加圧流体出口９０４９Ａを備える。ハウジング９０４０は、ハウジング９０４０の内側であって、ハウジング９０４０の中心ピン９０４４の周囲に形成される円形溝９０４２を有する。フィン９０４０Ａは、ハウジング９０４０の外側表面から径方向外側に延びる。流体入口９０４８は、加圧流体を容器９０２からハウジング９０４０内に、加圧流体の進入する流れが溝９０４２の外側壁部に接するように流すように形成される。加圧流体出口９０４９Ａは、ハウジング９０４０のカバー９０４９に形成され、これにより、加圧流体を入口９０４８を介してローラハウジング内に進入させ、チューブ９０４９Ｂ内に配向し、トリガ９０２Ａに加圧流体を供給する。攪拌装置９０４は、攪拌装置９０４の中央部の周囲の溝９０４２に円滑に嵌入するとともに内部を移動自在に適合されるローラ９０４６をさらに備える。トリガ９０２Ａが分配チューブ９０２Ｂを介して容器９０２から加圧流体を解放するように操作されると、加圧流体は入口９０４８から攪拌装置９０４に流れ込み、溝９０４２内へのその突入により、ローラ９０４６はローラハウジング９０４０の中心９０４４を中心として回転し、これにより、攪拌装置９０４を振動させる。攪拌装置９０４の振動により、加圧流体に捕捉された泡の解放が促進され、これにより装置９００を離れる加圧流体は、高濃度の泡がより豊富なものとなる。
【００２４】
図１０Ａ、図１０Ｂ、および図１０Ｃはそれぞれ、本発明の実施形態による、加圧流体を供給するための装置と組み合わせて使用される散布保護部の３つの実施形態１０００Ａ、１０００Ｂ、および１０００Ｃを概略的に示す。例えば、図６、図７、図８Ａ、および図９Ａに示すような加圧流体を供給するための装置は、その先端に分配オリフィス１００４を有する流体分配チューブ１００２を備え、これにより、要素や表面等の目標に加圧流体を供給する。加圧流体が連続的な流れ、間欠的な流れ、投与１回分の流れ等のいずれかでオリフィス１００４を介して分配されると、これは、所望の領域の周囲に望ましくない散布をなすよう噴霧する。望ましくない噴霧を防止または最小限とするべく、分配チューブ１００２は、保護部１００６、１００８、および１０１０のような噴霧保護部を備える。保護部は、分配オリフィス１００４に対して分配チューブ１００２の遠位端に取り付けられるとともに噴霧された要素からの噴霧の跳ねを防止するように構成される平坦または凸状の丸みを帯びた要素として形成される肉薄な材料から一体的に形成される。
【００２５】
加圧流体のための圧力を生じる化学工程に関わるか、流体への１つ以上の添加物を生成するための１つ以上の材料や原料が、カプセルやタブレットの形態で設けられる場合、工程をより迅速に行うために、沸騰工程の開始に先立って、あるいは開始と略同時にタブレットを破砕乃至小片に砕く必要がある。図１１Ａ、図１１Ｂ、および図１１Ｃはそれぞれ、本発明の実施形態による、加圧流体を供給するための装置１１０２を示す概略図、タブレット破砕ユニット１１１４を備える充填キャップ１１０２Ａを示す等角図、および充填キャップ１１０２Ａおよびタブレット破砕ユニット１１１４を示す装置１１０２の部分断面図である。容器１１０２Ｂは、流体分配チューブ１１０２Ｃおよび充填キャップ１１０２Ａを備える。装置１１０２の使用の準備が整うと、充填キャップは（例えば容器からそのネジを外すことによって）容器１１０２Ｂから取り払われ、これにより、容器１１０２Ｂを（水のような）流体で再充填することができる。この段階では、タブレット（沸騰工程および／または化合物生成に必要となる）は、図１１Ｂに示すように、充填キャップ１１０２Ａの内側に形成される専用位置に挿入される。挿入されたタブレットは、装置１１０２と組み合わせて使用されるように推奨されるタブレットの寸法および形態に適合するように形成されるとともに位置される複数の移動リミッタ１１１３によって横断方向の移動が防止される。これにより、充填キャップがその位置に戻され、容器１１０２Ｂを閉鎖するようにネジ締めされると、タブレットは、充填キャップがその内側表面が下側に面して再充填した容器を覆うように逆さにされても充填キャップの内側表面の位置に保持される。タブレット破砕ユニット１１１４は、再充填用開口部近傍の容器１１０２Ｂの端部に位置される。タブレット破砕ユニット１１１４は、キャップ１１０２Ａによって覆われるように構成される容器１１０２Ｂの端部の近傍で容器１１０２Ｂの内周面から径方向に延びる肉薄な金属材料や同様の材料の２つ以上の小片から形成され、これらは、装置１１０２の化学的環境に耐久するとともに要求される破砕および切断衝撃を生じる。図１１Ｂおよび図１１Ｃに示すタブレット破砕ユニット１１１４は、充填キャップ１１０２Ａによって形成される円の中心で略交わる肉薄な材料の３つの径方向部分、および破砕ユニット１１１４のブレードの略交点に位置される小さなとげ状突起１１１４Ａを備える。充填キャップ１１０２Ａが容器１１０２Ｂにネジ戻されると、タブレットは充填キャップ１１０２Ａの内側表面のその位置に止められ、充填キャップ１１０２Ａが容器１１０２Ｂの充填開口部により接近すると、タブレットは、とげ状突起１１１４Ａがタブレットに接触するとともに破砕工程を開始するまでとげ状突起１１１４Ａにより接近する。充填キャップ１１０２Ａのねじ込みが進むと、破砕ユニット１１１４のブレードはタブレットに接触するとともにその破砕を完了する。
【００２６】
図１２Ａおよび図１２Ｂは、本発明の実施形態による、２つの異なる設計のタブレット１およびタブレット２を収容するとともに安全に保持するように形成される充填キャップ１２０４および１２１４の２つの実施形態を示す。充填キャップ１２０４は丸みを帯びた隅部を備えた矩形として形成されたタブレット１を収容するように形成される。ロケータ１２０４Ａおよび１２０４Ｂは、タブレット１を配置（ロケータ１２０４Ａ）するとともに、配置して保持（ロケータ１２０４Ｂ）するために形成される。充填キャップ１２１４は、タブレット２を収容するように形成され、タブレット２は、その平坦な両面のうちの少なくとも一方に心出しロケータ１２１４Ｂと一致するように形成される溝を有するカプセルとして形成される。タブレット２が充填キャップ１２１４内に好適に位置されると、その予め準備された溝が、径方向ロケータ１２１４Ｂに位置され、これにより、タブレット２を心出しし、ロケータ１２１４Ａは、さらにタブレット２を適所に配置するとともに保持する。
【００２７】
いくつかの実例において、そのシンクの近傍に設けられる給水栓から加圧流体を供給する装置の容器を再充填可能であることが望ましい。従って、上部に面する再充填開口部に直立する容器を保持することは、困難であるか、不可能でもある。図１３は、本発明の実施形態による加圧流体を供給するための装置１３００を示す。装置１３００は、上述した実施形態と同様の容器１３０２および流体分配チューブ１３０２Ａを備える。しかしながら、本実施形態において、容器１３０２は、容器１３０２の側壁に形成される再充填開口部１３０４を有する。これにより、容器１３０２は、その長手方向軸線が略水平に保持されると、流体で再充填され、これにより、真下に小さな空きスペースを有するタップから再充填可能である。装置１３００のキャップ１３０６は、上述した実施形態のうちの１つと同様に形成されても、必要に応じて異なる方法により形成されてもよい。
【００２８】
比較的小型の容器を使用するとともに連続した圧力源に接続されない、加圧流体を供給する装置は、通常、加圧流体の流量が不安定になる短所を有する。通常そのような装置は、容器の内部の内部圧力が高くかつ流量が容器の内部圧力の低減につれ徐々に低減されると、より高い流量を有するであろう。図１４Ａおよび図１４Ｂはそれぞれ、本発明の実施形態による、加圧流体を供給するための装置１４００および流量調整装置１４５０を概略的に示す図である。装置１４００は、容器１４０２、操作用トリガ１４０４、および流体分配チューブ１４０６を備える。装置１４００は、容器１４０２の内部に配置される流量調整装置１４０８をさらに備える。流量調整装置１４０８は、容器１４０２の内部の圧力Ｐ１に面する入口ポート１４０８Ｂを有するハウジング１４０８Ａ、操作用トリガ１４０４に接続される出口ポート１４０８Ｅ、および調整ディスク１４０８Ｃを備える。調整ディスク１４０８Ｃは、硬質ゴムのような半可撓性を備えた平坦な材料から形成される。オリフィス１４０８Ｃは、先端ほど細くなる穴としてディスク１４０８Ｃを貫通して形成され、穴は、その幅広の開口部がＰ１の側に面し、そのより小さな開口部がディスク１４０８Ｃの反対側に面する。流量調整装置１４０８の動作原理は、図１４Ｂの流量調整装置１４５０に関して説明される。流量調整装置１４５０は、主ハウジング１４５０Ａ、加圧流体容器（図示しない）の内部に広がる圧力Ｐ１の側に面する入口ポート１４５０Ｂ、および作動機構と流体分配チューブと（両者とも図示しない）に接続される出口ポート１４５０Ｅを有する。調整ディスク１４５０Ｃは、ハウジング１４５０Ａ内に位置され、入口ポート１４５０Ｂと出口ポート１４５０Ｅとの間に隔壁を形成する。オリフィス１４５０Ｄは、先端ほど細くなる、あるいは円錐形状を有するディスク１４５０Ｃを貫通して形成され、その幅広の開口部は、Ｐ１の側に面する。いくつかの実施形態によれば、ディスク１４５０Ｃは、ハウジング１４５０Ａ内の適所に配置されると、僅かに凸面をなすように形成される。オリフィス１４５０Ｄは、入口ポート１４５０Ｂから出口ポート１４５０Ｅへの流量を決定するように形成される。オリフィス１４５０Ｄの開口部の実際の領域が大きくなるにつれ、これを通過する加圧流体の流量も大きくなり、その逆もまたいえる。オリフィス１４５０Ｄの寸法は、すべての作動状況において完全には閉鎖しないように決定される。本発明の装置の容器が圧力（Ｐ１）にさらされ、作動機構が閉鎖されると、出口ポート１４５０Ｅに広がる圧力Ｐ２は、最終的に圧力Ｐ１と略等しくなる。作動機構が開放されると、圧力Ｐ２は、装置の外部に広がる圧力と略等しくなるように低減される。その結果、圧力Ｐ２よりずっと大きな圧力Ｐ１により、ディスク１４５０Ｃは少し平坦なものとなり、これにより、オリフィス１４５０Ｄはより小さくなる。以上により、オリフィス１４５０Ｄを通過する加圧流体の流量は制限される。装置の使用時に圧力Ｐ１が徐々に低減されると、ディスク１４５０Ｃを横断する圧力の差異が、これに比例して低減される。これにより、オリフィス１４５０Ｄは、徐々に開放し、加圧流体の流量を略一定に保持し、圧力Ｐ１は、最も高い値から最も低い作動値に変化する。Ｐ１ｍａｘとＰ１ｍｉｎとの間を変化する圧力Ｐ１の動的範囲である作動要件および要求される流量ＦＲにそれぞれが応じる他のタイプの流量調整装置が使用されてもよいものといえる。
【００２９】
本発明の所定の特徴がここに開示されたが、多くの修正、代用、変更、および均等物が当業者に生じるであろう。従って、添付の特許請求の範囲は、本発明の趣旨の範囲内に当たるような修正および変更をすべてカバーするように意図される。
【図１Ａ】
2015527925.tif 000003
【図１Ｂ】
2015527925.tif 000004
【図２Ａ】
2015527925.tif 000005
【図２Ｂ】
2015527925.tif 000006
【図２Ｃ】
2015527925.tif 000007
【図３Ｂ】
2015527925.tif 000008
【図３Ｃ】
2015527925.tif 000009
【図４Ａ】
2015527925.tif 000010
【図４Ｂ】
2015527925.tif 000011
【図５Ａ】
2015527925.tif 000012
【図５Ｂ】
2015527925.tif 000013
【図５Ｃ】
2015527925.tif 000014
【図５Ｄ】
2015527925.tif 000015
【図５Ｅ】
2015527925.tif 000016
【図５Ｆ】
2015527925.tif 000017
【図５Ｇ】
2015527925.tif 000018
【図５Ｈ】
2015527925.tif 000019
【図５Ｉ】
2015527925.tif 000020
【図５Ｊ】
2015527925.tif 000021
【図６】
2015527925.tif 000022
【図７】
2015527925.tif 000023
【図８Ａ】
2015527925.tif 000024
【図８Ｂ】
2015527925.tif 000025
【図９Ａ】
2015527925.tif 000026
【図９Ｂ】
2015527925.tif 000027
【図１０Ａ】
2015527925.tif 000028
【図１０Ｂ】
2015527925.tif 000029
【図１０Ｃ】
2015527925.tif 000030
【図１１Ａ】
2015527925.tif 000031
【図１４Ａ】
2015527925.tif 000032
【図１４Ｂ】
2015527925.tif 000033
【図３Ａ】
2015527925.tif 000034
【図１１Ｂ】
2015527925.tif 000035
【図１１Ｃ】
2015527925.tif 000036
【図１２Ａ】
2015527925.tif 000037
【図１２Ｂ】
2015527925.tif 000038
【図１３】
2015527925.tif 000039
【国際調査報告】
2015527925.tif 000040